(57)【要約】【課題】商品の流通過程において、効率的に情報を記憶できるラベルの提供。【解決手段】商品に関する情報の記憶場所を示すデータと商品を識別するコードとを記憶する商品１００に付されたＩＣタグ１１０及びＩＣタグ１１０から商品に関する情報の記憶場所を示すデータを読み出し、読み出した商品に関する情報の記憶場所を示すデータに基づきサーバ１４０、１５０、１６０から商品に関する情報を取得し、商品に関する情報の内容を表示する商品情報取得装置１２０を備える。【選択図】        図１
2004212788.tif 000002
【特許請求の範囲】
【請求項１】
商品コードが記録されたラベルであって、
前記商品コードには、
当該商品を識別する単品識別コードと、
当該商品に関する情報が記憶された記憶場所を特定する複数の情報源アドレスとが含まれる
ことを特徴とするラベル。
【請求項２】
前記ラベルは非接触ＩＣタグを備え、
前記商品コードは、前記非接触ＩＣタグに記憶されている
ことを特徴とする請求項１記載のラベル。
【請求項３】
前記ラベルは２次元コードを含むコードであり、
前記商品コードは、前記２次元コードを含むコードに記憶されている
ことを特徴とする請求項１記載のラベル。
【請求項４】
前記商品コードには、さらに、
当該商品に関する情報の種別を識別する複数の情報種別コードが含まれ、
前記複数の情報種別コードのそれぞれは、当該情報種別コードが示す種別の商品情報が記憶された記憶場所を特定する情報源アドレスと対応づけて記録されている
ことを特徴とする請求項２又は３記載のラベル。
【請求項５】
前記情報種別コードは、階層化されたデータである
ことを特徴とする請求項４記載のラベル。
【請求項６】
前記情報種別コードには、さらに、
当該情報種別コードが示す種別の商品情報が記憶された記憶場所へのアクセスを制限するセキュリティーコードが含まれる
ことを特徴とする請求項５記載のラベル。
【請求項７】
前記商品コードには、さらに、
当該商品の種別を識別する商品種別コードが含まれる
ことを特徴とする請求項６記載のラベル。
【請求項８】
前記情報種別コードが示す情報の種別は、
商品のライフサイクルを構成する複数の工程のうちの１つと対応づけられている
ことを特徴とする請求項４〜７のいずれか１項に記載のラベル。
【請求項９】
前記情報源アドレスは、インターネット上のＷｅｂサイトを特定するＵＲＬである
ことを特徴とする請求項１〜８のいずれか１項に記載のラベル。
【請求項１０】
前記複数の情報源アドレスは、
当該商品に関する情報の種別と対応づけられたそれぞれの位置に記憶されることを特徴とする請求項２又は３記載のラベル。
【請求項１１】
請求項１〜１０のいずれか１項に記載のラベルが付された商品。
【請求項１２】
請求項１、２又は３記載のラベルが貼付された商品に関する情報を取得する装置であって、
前記ラベルに記録された単品識別コードと情報源アドレスとを読み出す第１読み出し手段と、
読み出した情報源アドレスが示す場所から、通信路を介して、前記単品識別コードに対応する商品の情報を取得する第１情報取得手段と、
取得した情報を表示する第１表示手段と
を備えることを特徴とする商品情報取得装置。
【請求項１３】
請求項４又は５記載のラベルが貼付された商品に関する情報を取得する装置であって、
前記ラベルに記録された情報種別コードと単品識別コードとを読み出す第２読み出し手段と、
読み出した情報種別コードと対応づけられた情報源アドレスが示す場所から、通信路を介して、前記単品識別コードに対応する商品の情報を取得する第２情報取得手段と、
取得した商品の情報を表示する第２表示手段と
を備えることを特徴とする商品情報取得装置。
【請求項１４】
前記ラベルは、さらに、
当該情報種別コードが示す種別の商品情報が記憶された記憶場所へのアクセスを制限するセキュリティーコードを含み、
前記商品情報取得装置は、さらに、
前記ラベルに記録されたセキュリティーコードを読み出すセキュリティー読み出し手段と、
読み出したセキュリティーコードに基づいて前記商品の情報の取得を制限する情報取得制限手段とを備える
ことを特徴とする請求項１３記載の商品情報取得装置。
【請求項１５】
前記ラベルは、さらに、
当該商品の種別を識別する商品種別コードを含み、
前記商品情報取得装置は、さらに、
前記ラベルに記録された商品種別コードを読み出す商品種別コード読み出し手段を備える
ことを特徴とする請求項１４記載の商品情報取得装置。
【請求項１６】
請求項２記載のラベルに記憶される商品コードを編集する装置であって、
前記非接触ＩＣタグに新たな商品コードを書き込む第１書き込み手段を備える
ことを特徴とする商品コード編集装置。
【請求項１７】
請求項３記載のラベルに記憶される商品コードを編集する装置であって、
前記２次元コードを含むコードに新たな商品コードを書き込む第２書き込み手段を備える
ことを特徴とする商品コード編集装置。
【請求項１８】
前記商品コード編集装置は、さらに、
前記新たな商品コードの書き込みを制限する書き込み制限手段を備える
ことを特徴とする請求項１５又は１６記載の商品コード編集装置。
【発明の詳細な説明】
【０００１】
【発明の属する技術分野】
本発明は、商品コードが記録されたラベル、そのラベルが付された商品、そのラベルに基づく商品情報取得装置及び商品コード編集装置に関する。
【０００２】
【従来の技術】
近年、商品を識別・管理する新たな要素技術としてＩＣタグや２次元コード等が注目されている。ＩＣタグや２次元コードは、従来のバーコードに比べ、データ容量が大きいため商品と付帯情報の一体管理が可能となり、精度の高い情報管理を実現することできる。
【０００３】
商品の情報管理にＩＣタグを使う先行事例の１つとして、「無線タグ及び製造流通管理方法並びに製造流通管理システム」がある（特許文献１参照）。これは、製造流通過程における製品の管理方法に関するもので、ＩＣタグは、製造流通過程の各段階において得られる情報を記憶する媒体として利用されている。また、情報管理にＩＣタグを使う他の先行事例の１つとして、「無線タグを用いたユーザ認証方法およびユーザ認証システム」がある（特許文献２参照）。これは、端末の使用に際しておこなわれるユーザの認証方法に関するもので、ＩＣタグは、端末を使用するユーザを識別するデータを記憶する媒体として利用されている。
【０００４】
【特許文献１】
特開平１１−１４４０１２号公報
【０００５】
【特許文献２】
特開２００２−１５７０４０号公報
【０００６】
【発明が解決しようとする課題】
しかしながら、従来のＩＣタグや２次元コードを用いた情報管理は、データ容量がある程度大きいというＩＣタグや２次元コードの特性に頼り、ＩＣタグや２次元コードに効率的に情報を記憶させていないという問題がある。そのため、特定の目的に限定された商品情報だけが格納されたり、限定された範囲内の商品情報だけが格納され、例えば、画像を伴った詳細な商品説明書といった極めてサイズの大きい情報を閲覧することは困難である。
【０００７】
また、従来のＩＣタグや２次元コードを用いた情報管理は、ＩＣタグや２次元コードに、ただ単に必要な情報をそのまま記憶させるにとどまり、ＩＣタグや２次元コードが記憶している情報を閲覧するユーザの労力を考慮に入れていないという問題がある。さらに、刻々と更新される最新の商品情報を閲覧することもできない。
【０００８】
そこで、本発明は、かかる問題点に鑑み、商品の流通過程において、効率的に情報を記憶できるラベルを提供することを第１の目的とし、情報の閲覧に際してユーザに煩わしい操作を要求しない商品情報取得装置を提供することを第２の目的とする。
【０００９】
【課題を解決するための手段】
上記目的を達成するために、本発明に関わるラベルは、商品コードが記録されたラベルであって、前記商品コードには、当該商品を識別する単品識別コードと、  当該商品に関する情報が記憶された記憶場所を特定する複数の情報源アドレスとが含まれることを特徴とする。
【００１０】
これによって、ラベルは商品に関する情報をそのまま記憶する必要が無いので、ラベルは効率的に情報を記憶でき且つ更新された最新ページにアクセスできるという効果が発揮される。
【００１１】
また、前記ラベルは非接触ＩＣタグを備え、前記商品コードは、前記非接触ＩＣタグに記憶されているとしてもよい。
これによって、ラベルは大きなデータ容量を持つことになるので、ラベルは多くの情報を記憶できるという効果が発揮される。
【００１２】
ここで、本発明は、前記ラベルが貼付された商品に関する情報を取得する装置であって、前記ラベルに記録された単品識別コードと情報源アドレスとを読み出す第１読み出し手段と、読み出した情報源アドレスが示す場所から、通信路を介して、前記単品識別コードに対応する商品の情報を取得する第１情報取得手段と、取得した情報を表示する第１表示手段とを備えることを特徴とする商品情報取得装置とすることもできる。
【００１３】
これによって、ラベルが付された商品に関する情報の内容の閲覧に際してユーザは商品に関する情報を検索する必要が無いので、商品情報取得装置はユーザに煩わしい操作を要求すること無く商品に関する情報をユーザに提供できるという効果が発揮される。
【００１４】
また、本発明は、前記ラベルに記載される商品コードを編集する装置であって、前記非接触ＩＣタグに新たな情報源アドレスを書き込む第１書き込み手段を備えることを特徴とする商品コード編集装置とすることもできる。
【００１５】
これによって、非接触ＩＣタグに商品に関する情報を新たに記憶することができるので、商品の流通の各段階で得られた商品に関する情報を登録することができるという効果が発揮される。
【００１６】
【発明の実施の形態】
（実施の形態１）
以下、本発明の第１の実施の形態における商品情報提供システムについて、図面を参照しながら説明する。
【００１７】
図１は、本発明の本実施の形態における商品情報提供システムの使用状況を示すシステム構成図である。
本実施の形態の商品情報提供システムは、商品１００に関する情報をユーザに提供することを目的とするものであって、商品１００に付されたＩＣタグ１１０と、インターネット等のネットワーク１３０で接続された商品情報取得装置１２０およびサーバ１４０、１５０、１６０とから構成される。
【００１８】
図２は、本発明の本実施の形態における商品情報提供システムの内部構成を示すブロック図である。
ＩＣタグ１１０は、商品１００に着脱可能で１ｍｍ程度の厚みを有する３０ｍｍ×３０ｍｍのシート状の形状をしており、情報源アドレステーブル１１４ａと識別コード１１４ｂとを記憶し、その記憶している情報源アドレステーブル１１４ａと識別コード１１４ｂとを商品情報取得装置１２０に送信するものであり、機能的にタグアンテナ部１１１と、タグ送受信部１１２と、電源部１１３と、タグ記憶部１１４と、タグ制御部１１５とから構成される。
【００１９】
図３（ａ）は、情報源アドレステーブル１１４ａの内容を示す図である。
図３（ａ）に示すように、情報源アドレステーブル１１４ａは、複数の情報源アドレスデータから構成され、各情報源アドレスデータには、ＩＣタグ１１０が付された商品１００に関する商品情報の種類と、その商品情報の記憶場所のアドレス（Ｗｅｂサイト内の特定ページのＵｎｉｆｏｒｍ  Ｒｅｓｏｕｒｃｅ  Ｌｏｃａｔｉｏｎ）と、その商品情報のセキュリティーの有無が登録されている。例えば、情報源アドレステーブル１１４ａは、「生産」という商品情報に関する情報源アドレスデータと、「販売」という商品情報に関する情報源アドレスデータと、「サービス」という商品情報に関する情報源アドレスデータと、「リサイクル」という商品情報に関する情報源アドレスデータとから構成され、「生産」という商品情報に関する情報源アドレスデータには、「生産」という商品情報の記憶場所を示す「ｈｔｔｐ：／／ｗｗｗ．ｓａｂａ．ｊｐ／１２３４５６７８９／ｓｅｉｓａｎ／」というアドレス（ＵＲＬ）と、「生産」という商品情報にセキュリティーがかかっていることとが登録されている。また、「販売」という商品情報に関する情報源アドレスデータには、「販売」という商品情報の記憶場所を示す「ｈｔｔｐ：／／ｗｗｗ．ｓａｂａ．ｊｐ／１２３４５６７８９／ｈａｎｂａｉ／」というアドレス（ＵＲＬ）と、「販売」という商品情報にセキュリティーがかかっていないこととが登録されている。ここで、情報源アドレステーブル１１４ａにおいて「○」は、セキュリティーがかかっていることを示し、「×」はセキュリティーがかかっていないことを示している。
【００２０】
また、情報源アドレスデータの商品情報には、商品情報を識別するための情報ＩＤが付与されている。例えば、「生産」という商品情報には「６」という情報ＩＤが付与され、「販売」という商品情報には「８」という情報ＩＤが付与され、「サービス」という商品情報には「２３」という情報ＩＤが付与され、「リサイクル」という商品情報には「４０」という情報ＩＤが付与されている。
【００２１】
図３（ｂ）は、識別コード１１４ｂの内容を示す図である。
図３（ｂ）に示すように、識別コード１１４ｂには、ＩＣタグ１１０が付された商品１００を単品ごとに識別するための識別コードが登録されている。例えば、「１２３４５６７８９」といった内容の識別コードが登録されている。
【００２２】
タグアンテナ部１１１は、コイル状のアンテナ等であり、読み出しコマンドを含む所定周波数の電波を受信し、受信している間、電磁誘導方式等により交流電力を生成し、その交流電力を電源部１１３に供給し、情報源アドレステーブル１１４ａと識別コード１１４ｂとを所定周波数の電波として商品情報取得装置１２０に送信する。ここで、読み出しコマンドとは、情報源アドレステーブル１１４ａと、識別コード１１４ｂとを送信するようにＩＣタグ１１０に指示する信号である。タグアンテナ部１１１は、情報源アドレスデータと、識別コード１１４ｂと、書き込みコマンドとを含む所定周波数の電波を受信し、受信している間、電磁誘導方式等により交流電力を生成し、その交流電力を電源部１１３に供給する。ここで、書き込みコマンドとは、情報源アドレスデータと、識別コード１１４ｂとを記憶するようにＩＣタグ１１０に指示する信号である。
【００２３】
タグ送受信部１１２は、変調回路と復調回路等からなり、タグアンテナ部１１１により受信した所定周波数の電波を復調し、書き込みコマンドと、読み出しコマンドと、情報源アドレスデータと、識別コード１１４ｂとを再現し、再現した書き込みコマンドと、読み出しコマンドと、情報源アドレスデータと、識別コード１１４ｂとをタグ制御部１１５に送信する。また、タグ送受信部１１２は、タグ制御部１１５から情報源アドレステーブル１１４ａと識別コード１１４ｂとを受信し、受信した情報源アドレステーブル１１４ａと識別コード１１４ｂとを所定周波数の信号に変調し、タグアンテナ部１１１に送信する。
【００２４】
電源部１１３は、供給された交流電力から直流電力を生成し、タグ制御部１１５とタグ送受信部１１２およびタグ記憶部１１４に供給する。
タグ記憶部１１４は、メモリ等からなり、情報源アドレステーブル１１４ａと識別コード１１４ｂとを記憶する。
【００２５】
タグ制御部１１５は、読み出しコマンドに基づいてタグ記憶部１１４から情報源アドレステーブル１１４ａと識別コード１１４ｂとを受信する。タグ制御部１１５は、書き込みコマンドに従って、タグ記憶部１１４に記憶されている情報源アドレステーブル１１４ａにタグ送受信部１１２から受信した情報源アドレスデータを追加し、タグ記憶部１１４に記憶されている識別コード１１４ｂをタグ送受信部１１２から受信した識別コード１１４ｂに置き換える。
【００２６】
商品情報取得装置１２０は、ＩＣタグ１１０から情報源アドレステーブル１１４ａと識別コード１１４ｂとを読み出し、読み出した情報源アドレステーブル１１４ａと識別コード１１４ｂとに基づきサーバＡ１４０、サーバＢ１５０から商品情報を受信し、受信した商品情報の内容を表示し、また、ＩＣタグ１１０に情報源アドレスデータと識別コード１１４ｂとを書き込むものであり、機能的に取得装置アンテナ部１２１と、取得装置送受信部１２２と、取得装置制御部１２３と、商品情報受信部１２４とから構成される。
【００２７】
取得装置アンテナ部１２１は、コイル状のアンテナ等であり、読み出しコマンドを含む所定周波数の電波をＩＣタグ１１０に送信し、情報源アドレステーブル１１４ａと、識別コード１１４ｂとを含む所定周波数の電波をＩＣタグ１１０から受信する。取得装置アンテナ部１２１は、情報源アドレスデータと、識別コード１１４ｂと、書き込みコマンドとを含む所定周波数の電波をＩＣタグ１１０に送信する。
【００２８】
取得装置送受信部１２２は、変調回路と復調回路等からなり、書き込みコマンドと、読み出しコマンドと、情報源アドレスデータと、識別コード１１４ｂとを取得装置制御部１２３から受信し、受信した書き込みコマンドと、読み出しコマンドと、情報源アドレスデータと、識別コード１１４ｂとを所定周波数の信号に変調し、取得装置アンテナ部１２１に送信する。取得装置送受信部１２２は、取得装置アンテナ部１２１により受信した所定周波数の電波を復調し、情報源アドレステーブル１１４ａと、識別コード１１４ｂとを再現する。
【００２９】
取得装置制御部１２３は、読み出しコマンドを取得装置送受信部１２２に送信し、取得装置送受信部１２２から情報源アドレステーブル１１４ａと識別コード１１４ｂとを受信し、受信した情報源アドレステーブル１１４ａと識別コード１１４ｂとに基づいてＩＣタグ１１０が付されている商品１００の識別コードと、ＩＣタグ１１０が付されている商品１００の商品情報の一覧とを表示装置（図外）に表示し、操作装置（図外）による選択に従って商品情報の一覧から商品情報を選択し、選択された商品情報のセキュリティーの有無を判断し、パスワードの入力を求めるパスワード入力画面を表示装置に表示し、操作装置により入力されたパスワードが正しいか判断し、選択した商品情報を受信するように指示する商品情報受信信号を商品情報受信部１２４に送信する。また、取得装置制御部１２３は、商品情報受信信号の返答である商品情報を商品情報受信部１２４から受信し、商品情報の内容を表示装置に表示する。取得装置制御部１２３は、商品情報登録部１２３ａを備え、パスワード入力画面を表示装置に表示し、操作装置により入力されたパスワードが正しいか判断し、商品情報登録部１２３ａにより新たな情報源アドレスデータと識別コード１１４ｂとを作成し、新たに作成した情報源アドレスデータと識別コード１１４ｂと、書き込みコマンドとを取得装置送受信部１２２に送信する。
【００３０】
ここで、表示装置に表示される内容を図４に示す。
図４（ａ）は、取得装置制御部１２３が取得装置送受信部１２２から情報源アドレステーブル１１４ａと識別コード１１４ｂとを受信した場合に、表示装置に表示される内容を示したものである。表示内容は、識別コードと、商品情報の一覧とから構成され、この場合、「この商品の識別コードは「１２３４５６７８９」であり、この商品に関して「生産」と「販売」と「サービス」と「リサイクル」という商品情報が登録されている。」といった内容が表示装置に表示される（図３参照）。
【００３１】
図４（ｂ）は、  図４（ａ）において取得装置制御部１２３が操作装置による選択に従って商品情報の一覧から「リサイクル」という商品情報を選択した場合に、表示装置に表示される内容を示したものである。表示内容は、識別コードと、選択された商品情報と、その商品情報の内容とから構成され、この場合、「この商品の識別コードは「１２３４５６７８９」であり、この商品に関してユーザにより「リサイクル」という商品情報が選択され、この「リサイクル」という商品情報には「基本情報、内容」という内容が含まれている。」といった内容が表示装置に表示される。尚、図４では商品情報の内容として単純な文章を例示した。しかし、本実施の形態において商品情報はサーバに記憶されることから、商品情報の内容は音声や画像等の極めてサイズの大きな情報であり、商品情報取得装置１２０は、その情報の内容を表示又は出力しても良い。例えば、商品情報が音声の情報であった場合、取得装置制御部１２３が受信した商品情報の内容をスピーカ（図外）により音声で出力する機能を備えることで、「リサイクル」という商品情報に含まれる内容を「このリサイクルという商品情報には基本情報と内容という内容が含まれています。」と音声により出力しても良いし、商品情報が画像の情報であった場合、「生産」という商品情報の内容を商品が生産される画像で表示装置に表示しても良い（図３参照）。
【００３２】
商品情報受信部１２４は、取得装置制御部１２３から受信した商品情報受信信号に基づいてサーバＡ１４０、サーバＢ１５０にアクセスし、サーバＡ１４０、サーバＢ１５０から商品情報を受信する。
【００３３】
ネットワーク１３０は、電話回線、インターネット回線等の電気通信網であり、商品情報を商品情報取得装置１２０に送信するための経路である。
サーバＡ１４０、サーバＢ１５０は、コンピュータ等であり、商品情報を記憶し、記憶している商品情報を商品情報取得装置１２０に送信する。なお、サーバＡ１４０、サーバＢ１５０は、記憶している商品情報を必要に応じて更新する。
【００３４】
以上のように構成された本発明の本実施の形態における商品情報提供システムの動作（本システムのデータ読み出し処理の流れ）について、図５に示されたシーケンスに沿って順に説明する。
【００３５】
同図の処理は、ユーザ操作に従って開始及び終了する。開始の操作を受けて商品情報取得装置１２０は、読み出しコマンドを含む所定周波数の電波を商品１００に付されているＩＣタグ１１０に向けて所定時間送信し続ける（ステップＳ４０１）。ここで、所定時間とは、商品情報取得装置１２０がＩＣタグ１１０から情報源アドレステーブル１１４ａと識別コード１１４ｂとを受信するのに十分な時間をいう。
【００３６】
商品１００に付されているＩＣタグ１１０のタグアンテナ部１１１は、読み出しコマンドを含む所定周波数の電波を受信し、交流電力を生成し、その交流電力を電源部１１３に供給する。電源部１１３は、交流電力から直流電力を生成し、タグ制御部１１５と、タグ送受信部１１２とに供給する。タグ送受信１１２は、タグアンテナ部１１１により受信した所定周波数の電波を復調し、読み出しコマンドを再現し、再現した読み出しコマンドをタグ制御部１１５に送信する。タグ制御部１１５は、読み出しコマンドに基づいてタグ記憶部１１４から情報源アドレステーブル１１４ａと識別コード１１４ｂとを受信し、タグ送受信部１１２に送信する（ステップＳ４０２）。
【００３７】
タグ送受信部１１２は、受信した情報源アドレステーブル１１４ａと識別コード１１４ｂとを所定周波数の信号に変調し、タグアンテナ部１１１に送信する。タグアンテナ部１１１は、情報源アドレステーブル１１４ａと識別コード１１４ｂとを所定周波数の電波として商品情報取得装置１２０に送信する（ステップＳ４０３）。
【００３８】
取得装置アンテナ部１２１は、情報源アドレステーブル１１４ａと識別コード１１４ｂとを含む所定周波数の電波を受信する。取得装置送受信部１２２は、取得装置アンテナ部１２１により受信した所定周波数の電波を復調し、情報源アドレステーブル１１４ａと識別コード１１４ｂとを再現し、再現した情報源アドレステーブル１１４ａと識別コード１１４ｂとを取得装置制御部１２３に送信する。取得装置制御部１２３は、情報源アドレステーブル１１４ａと識別コード１１４ｂとに基づいてＩＣタグ１１０が付されている商品１００の識別コードと、ＩＣタグ１１０が付されている商品１００の商品情報の一覧とを表示装置に表示する（ステップＳ４０４）。例えば、商品情報取得装置１２０が読み出しコマンドを含む所定周波数の電波をテレビに付されているＩＣタグ１１０に送信した場合、取得装置制御部１２３は、ＩＣタグ１１０が付されているテレビに関する情報源アドレステーブル１１４ａと、ＩＣタグ１１０が付されているテレビに関する識別コード１１４ｂとを受信し、受信した情報源アドレステーブル１１４ａに基づいて、「生産」「販売」「サービス」「リサイクル」という内容の商品情報の一覧を表示装置に表示し、受信した識別コード１１４ｂに基づいて「１２３４５６７８９」という内容の識別コードを表示装置に表示する（図３参照）。
【００３９】
取得装置制御部１２３は、商品情報取得装置１２０のユーザの操作装置による選択に従って商品情報の一覧から商品情報を選択する（ステップＳ４０５）。
取得装置制御部１２３は、選択した商品情報にセキュリティーがかかっているかを判断する（ステップＳ４０６）。例えば、商品情報の一覧として「生産」「販売」「サービス」「リサイクル」という内容を表示装置に表示しているときに、「生産」という商品情報が選択された場合は、セキュリティーがかかっていると判断し、「サービス」という商品情報が選択された場合は、セキュリティーがかかっていないと判断する（図３参照）。
【００４０】
取得装置制御部１２３は、選択した商品情報にセキュリティーがかかっていると判断した場合、パスワード入力画面を表示装置に表示し、操作装置により入力されたパスワードが正しいと判断した場合、商品情報を受信するための動作をおこない、正しくないと判断した場合、再度商品情報の一覧を表示装置に表示する（ステップＳ４０７）。
【００４１】
取得装置制御部１２３は、選択した商品情報にセキュリティーがかかっていない場合や、操作装置により入力されたパスワードが正しいと判断した場合、選択した商品情報を受信するように指示する商品情報受信信号を作成する（ステップＳ４０８）。例えば、商品情報の一覧として「生産」「販売」「サービス」「リサイクル」という内容を表示装置に表示しているときに、操作装置によって「販売」という商品情報が選択された場合、取得装置制御部１２３は、「ｈｔｔｐ：／／ｗｗｗ．ｓａｂａ．ｊｐ／１２３４５６７８９／ｈａｎｂａｉ／」という内容の商品情報受信信号を作成する（図３参照）。
【００４２】
取得装置制御部１２３は、作成した商品情報受信信号を商品情報受信部１２４に送信する。商品情報受信部１２４は、商品情報受信信号に基づいてサーバＡ１４０、サーバＢ１５０にアクセスし、アクセスしたサーバＡ１４０、サーバＢ１５０から商品情報を受信する（ステップＳ４０９）。例えば、商品情報受信部１２４が「ｈｔｔｐ：／／ｗｗｗ．ｓａｂａ．ｊｐ／１２３４５６７８９／ｈａｎｂａｉ／」という内容の商品情報受信信号を受信した場合、商品情報受信部１２４は、「ｈｔｔｐ：／／ｗｗｗ．ｓａｂａ．ｊｐ／１２３４５６７８９／ｈａｎｂａｉ／」というネットワーク上のアドレス（ＵＲＬ）にある商品情報をその商品情報を記憶するサーバから受信する。
【００４３】
商品情報受信部１２４は、受信した商品情報を取得装置制御部１２３に送信する。取得装置制御部１２３は、受信した商品情報の内容を表示装置に表示する（ステップＳ４１０）。
【００４４】
次に、本発明の本実施の形態における商品情報提供システムの動作（本システムのデータ書き込み処理の流れ）について、図６に示されたシーケンスに沿って順に説明する。
【００４５】
同図の処理も、ユーザ操作に従って開始及び終了する。開始の操作を受けて取得装置制御部１２３は、パスワード入力画面を表示装置に表示する。商品情報取得装置１２０のユーザは、操作装置によりパスワードを入力する（ステップＳ５０１）。
【００４６】
取得装置制御部１２３は、入力されたパスワードが正しいと判断した場合、新たな情報源アドレスデータと識別コード１１４ｂとを作成するための動作をおこない、入力されたパスワードが正しくないと判断した場合、再度パスワード入力画面を表示装置に表示する（ステップＳ５０２）。
【００４７】
取得装置制御部１２３は、商品情報登録部１２３ａにより新たな情報源アドレスデータと識別コード１１４ｂとを作成する（ステップＳ５０３）。例えば、テレビに付されたＩＣタグ１１０に「１２３４５６７８９」という新たな識別コードを登録し、更に、「生産」という新たな商品情報を登録し、その「生産」という商品情報は「ｈｔｔｐ：／／ｗｗｗ．ｓａｂａ．ｊｐ／１２３４５６７８９／ｓｅｉｓａｎｎ／」というアドレス（ＵＲＬ）に記憶され、セキュリティーをかける必要のある情報の場合、取得装置制御部１２３は、商品情報登録部１２３ａにより、報源アドレスデータの「情報ＩＤ（商品情報の種類）」の欄を「６（生産）」とし、「アドレス（ＵＲＬ）」の欄を「ｈｔｔｐ：／／ｗｗｗ．ｓａｂａ．ｊｐ／１２３４５６７８９／ｓｅｉｓａｎ／」とし、「セキュリティー」の欄を「○」とし、新たな情報源アドレスデータを作成し、識別コード１１４ｂの「識別コード」の欄を「１２３４５６７８９」とし、新たな識別コード１１４ｂを作成する。
【００４８】
取得装置制御部１２３は、新たに作成した情報源アドレスデータと、新たに作成した識別コード１１４ｂと、書き込みコマンドとを取得装置送受信部１２２に送信する。取得装置送受信部１２２は、取得装置制御部１２３から受信した情報源アドレスデータと、識別コード１１４ｂと、書き込みコマンドとを所定周波数の信号に変調し、取得装置アンテナ部１２１に送信する。取得装置アンテナ部１２１は、情報源アドレスデータと、識別コード１１４ｂと、書き込みコマンドとを含む所定周波数の電波をＩＣタグ１１０に向けて所定時間送信し続ける（ステップＳ５０４）。ここで、所定時間とは、ＩＣタグ１１０が既に登録されている識別コード１１４ｂを新たに作成した識別コード１１４ｂと置き換え、新たに作成した情報源アドレスデータを情報源アドレステーブル１１４ａに追加するのに十分な時間をいう。
【００４９】
タグアンテナ部１１１は、情報源アドレスデータと、識別コード１１４ｂと、書き込みコマンドとを含む所定周波数の電波を受信し、交流電力を生成し、その交流電力を電源部１１３に供給する。電源部１１３は、交流電力から直流電力を生成し、タグ制御部１１５と、タグ送受信部１１２とに供給する。タグ送受信部１１２は、タグアンテナ部１１１により受信した所定周波数の電波を復調し、情報源アドレスデータと、識別コード１１４ｂと、書き込みコマンドとを再現し、再現した情報源アドレスデータと、識別コード１１４ｂと、書き込みコマンドとをタグ制御部１１５に送信する。タグ制御部１１５は、タグ送受信部１１２から受信した書き込みコマンドに従って、タグ送受信部１１２から受信した識別コード１１４ｂをタグ記憶部１１４に記憶されている識別コード１１４ｂと置き換える（ステップＳ５０５）。
【００５０】
タグ制御部１１５は、タグ送受信部１１２から受信した情報源アドレスデータをタグ記憶部１１４に記憶されている情報源アドレステーブル１１４ａに追加する（ステップＳ５０６）。
【００５１】
以上のように本実施の形態によれば、ＩＣタグ１１０に記憶されている情報源アドレステーブル１１４ａは商品情報の内容を含んでいない。よって、ＩＣタグ１１０は商品情報の内容を記憶する必要が無いので、本商品情報提供システムでは、ＩＣタグ１１０の負担を軽減することができる。すなわち、ＩＣタグ１１０には、情報源へのリンクポインターだけを格納し、Ｗｅｂサイトのハードディスク等に莫大な情報を置いておくことで、仮想的に無尽蔵とも言える記憶装置をＩＣタグ１１０に内蔵させたに等しいことが実現され、極めて多くの情報を記憶させることができる
【００５２】
また、商品１００に関する情報のユーザへの提供は、商品情報取得装置１２０が情報源アドレステーブル１１４ａに含まれる商品情報の一覧を表示し、操作装置による選択に従って商品情報の一覧から商品情報を選択し、選択された商品情報を表示装置に表示することにより実現される。よって、商品１００の商品情報を閲覧するユーザは、商品情報を検索する必要が無いので、本商品情報提供システムでは、ユーザに煩わしい操作を要求すること無く商品１００に関する情報を提供することができる。
【００５３】
また、商品１００に関する情報のユーザへの提供は、商品情報取得装置１２０が情報源アドレステーブル１１４ａに含まれる商品情報の一覧を表示し、操作装置による選択に従って商品情報の一覧から商品情報を選択し、選択された商品情報だけをサーバＡ１４０、サーバＢ１５０から取得し、取得した情報を表示装置に表示することにより実現される。よって、商品情報取得装置１２０は必要でない商品情報を記憶する必要が無いので、本商品情報提供システムでは、商品情報取得装置１２０の負担を軽減することができる。
【００５４】
また、情報源アドレスデータには商品情報の記憶場所のアドレス（ＵＲＬ）が登録されている。よって、１つのサーバが複数の商品情報を記憶する必要がないので、本商品情報提供システムでは、サーバの負担を軽減することができる。
【００５５】
また、本実施の形態によれば、新たな商品情報を登録することができる。よって、本商品情報提供システムでは、商品１００の流通の各段階で得られた情報を商品１００に付さられたＩＣタグ１１０に記憶させることができる。
【００５６】
また、商品情報はサーバに記憶され、その商品情報は必要に応じて更新されることから、商品１００にトラブルが起こった場合、サーバに記憶された商品情報を更新することにより、そのトラブルの内容を商品１００のユーザに知らせることができる。
【００５７】
なお、本実施の形態では、商品１００に付されたＩＣタグ１１０が情報源アドレステーブル１１４ａと、識別コード１１４ｂとを記憶し、商品情報取得装置１２０に情報源アドレステーブル１１４ａと、識別コード１１４ｂとを送信するとした。しかし、商品１００に付された２次元コードを含むコードが情報源アドレステーブル１１４ａと、識別コード１１４ｂとを記憶し、商品情報取得装置１２０に情報源アドレステーブル１１４ａと、識別コード１１４ｂとを送信してもよい。また、商品１００に付されたラベルに情報源アドレステーブル１１４ａと、識別コード１１４ｂとを文字で記述し、その記述内容を操作装置により商品情報取得装置１２０に入力してもよい。
【００５８】
また、本実施の形態では、情報源アドレスデータには、商品情報の種類と、商品情報の記憶場所のアドレス（ＵＲＬ）と、セキュリティーの有無とが登録され、商品情報取得装置１２０は、情報源アドレスデータに登録されている情報を読み出し、読み出した情報に基づいて識別コードと、商品情報の一覧と、パスワード入力画面とを表示装置に表示するとしたが、情報源アドレスデータには更に商品の種類を識別するための商品コードが登録され、商品情報取得装置１２０は、情報源アドレスデータに登録されている商品コードを読み出し、読み出した商品コードを表示装置に表示してもよい。
【００５９】
また、本実施の形態では、情報源アドレスデータと識別コード１１４ｂとを新たに登録する際に、情報源アドレスデータと識別コード１１４ｂとを同時に登録するとした。しかし、情報源アドレスデータと識別コード１１４ｂとを別々に登録してもよい。
【００６０】
また、本実施の形態では、商品情報取得装置１２０は、情報源アドレスデータをＩＣタグ１１０に送信することでＩＣタグ１１０の情報源アドレステーブル１１４ａを作成する。しかし、商品情報取得装置１２０は、情報源アドレステーブル１１４ａを作成し、その作成した情報源アドレステーブル１１４ａをＩＣタグ１１０に送信してもよい。
【００６１】
また、本実施の形態では、情報源アドレステーブル１１４ａには情報ＩＤが登録されるとした。しかし、情報源アドレステーブル１１４ａにおいて情報源アドレスデータを格納する位置と情報ＩＤとを対応させることにより、情報源アドレステーブル１１４ａに情報ＩＤを登録しなくてもよい。
【００６２】
また、本実施の形態では、情報源アドレスデータには、１つの商品情報に対して１つの商品情報の記憶場所のアドレス（ＵＲＬ）が登録されるとした。しかし、情報源アドレスデータには、１つの商品情報に対して２つ以上の商品情報のアドレス（ＵＲＬ）が登録されてもよい。
【００６３】
（実施の形態２）
上記第１の実施の形態に関わる商品情報提供システムにおいて、情報源アドレステーブル１１４ａはユーザに商品情報を提供するために必要な最小限のデータしか含んでいない。このような構成では、ＩＣタグ１１０の負担を軽減できる。しかし、商品情報の中に更に商品情報が含まれている場合、商品情報取得装置１２０は、商品情報の中から商品情報を選択するためだけにサーバにアクセスしなければならず、また、商品情報取得装置１２０が商品情報と識別コードとを表示する場合、商品情報取得装置１２０は、情報源アドレステーブル１１４ａ、識別コード１１４ｂという２つのデータを受信しなければならないという問題がある。
【００６４】
そこで、第２の実施の形態における商品情報提供システムでは、商品情報の中に含まれる商品情報の記憶場所と、識別コード１１４ｂとを情報源アドレステーブル１１４ａに登録することにより、上記の問題の解消を図っている。
【００６５】
次に、本発明の第２の実施の形態における商品情報提供システムについて、図面を参照しながら説明する。
図７は本実施の形態における商品情報提供システムの構成を示すシステム構成図である。このシステムは、商品１００に付されたＩＣタグ２１０と、ネットワーク１３０で接続された商品情報取得装置１２０およびサーバＡ１４０、サーバＢ１５０とから構成され、商品１００に関する情報をユーザに提供することを目的とするという点で第１の実施の形態と共通するが、ＩＣタグ２１０のタグ記憶部２１１が情報源アドレステーブル２１１ａを記憶するという点で第１の実施の形態と異なる。以下、第１の実施の形態と異なる点を中心に説明する。
【００６６】
ＩＣタグ２１０は、情報源アドレステーブル２１１ａを記憶し、その記憶している情報源アドレステーブル２１１ａを商品情報取得装置１２０に送信するものであり、機能的にタグアンテナ部１１１と、タグ送受信部１１２と、電源部１１３と、タグ記憶部２１１と、タグ制御部１１５とから構成される。第１の実施の形態と同一機能の構成要素には同一の符号を付し、その説明を省略する。
【００６７】
タグ記憶部２１１は、メモリ等からなり、情報源アドレステーブル２１１ａを記憶する。
図８は、本実施の形態の情報源アドレステーブル２１１ａの内容を示す図である。
【００６８】
図８に示すように、情報源アドレステーブル２１１ａは、複数の情報源アドレスデータから構成され、各情報源アドレスデータには、ＩＣタグ２１０が付された商品１００を識別するための識別コードと、ＩＣタグ２１０が付された商品１００に関する商品情報の種類と、その商品情報に含まれる商品情報と、その商品情報に含まれる商品情報の記憶場所のアドレス（ＵＲＬ）と、その商品情報に含まれる商品情報のセキュリティーの有無が登録されている。例えば、情報源アドレステーブル２１１ａは、「９８７６５４３２１」という識別コードを付された商品１００の「生産」という商品情報に含まれる「基本情報」という商品情報に関する情報源アドレスデータと、「９８７６５４３２１」という識別コードを付された商品１００の「生産」という商品情報に含まれる「部材」という商品情報に関する情報源アドレスデータ等とから構成され、「９８７６５４３２１」という識別コードを付された商品１００の「生産」という商品情報に含まれる「基本情報」という商品情報に関する情報源アドレスデータには、その「基本情報」という商品情報の記憶場所を示す「ｈｔｔｐ：／／ｗｗｗ．ｓａｂａ．ｊｐ／９８７６５４３２１／ｓｅｉｓａｎｎ／ｋｉｈｏｎｊｏｕｈｏｕ／」というアドレス（ＵＲＬ）と、その「生産」という商品情報にはセキュリティーがかかっているということとが登録されている。
【００６９】
また、情報源アドレスデータの商品情報には、商品情報を識別するための情報ＩＤが付与されている。例えば、「生産」という商品情報には「６」という情報ＩＤが付与され、「生産」という商品情報に含まれる商品情報には「６Ａ」という情報ＩＤが付与され、「販売」という商品情報には「８」という情報ＩＤが付与され、「販売」という商品情報に含まれる「保証」という商品情報には「８Ｂ」という情報ＩＤが付与されている。
【００７０】
以上のように構成された本発明の本実施の形態における商品情報提供システムの動作（本システムのデータ読み出し処理の流れ）について、図９に示されたシーケンスに沿って順に説明する。
【００７１】
同図の処理は、ユーザ操作に従って開始及び終了する。開始の操作を受けて商品情報取得装置１２０は、読み出しコマンドを含む所定周波数の電波を商品１００に付されているＩＣタグ２１０に向けて所定時間送信し続ける（ステップＳ８０１）。ここで、所定時間とは、商品情報取得装置１２０がＩＣタグ２１０から情報源アドレステーブル２１１ａを受信するのに十分な時間をいう。
【００７２】
商品１００に付されているＩＣタグ２１０のタグアンテナ部１１１は、読み出しコマンドを含む所定周波数の電波を受信し、交流電力を生成し、その交流電力を電源部１１３に供給する。電源部１１３は、タグアンテナ部１１１から供給された交流電力から直流電力を生成し、タグ制御部１１５と、タグ送受信部１１２とに供給する。タグ送受信１１２は、タグアンテナ部１１１により受信した所定周波数の電波を復調し、読み出しコマンドを再現し、再現した読み出しコマンドをタグ制御部１１５に送信する。タグ制御部１１５は、読み出しコマンドに基づいてタグ記憶部２１１から情報源アドレステーブル２１１ａを受信し、タグ送受信部１１２に送信する（ステップＳ８０２）。
【００７３】
タグ送受信部１１２は、受信した情報源アドレステーブル２１１ａを所定周波数の信号に変調し、タグアンテナ部１１１に送信する。タグアンテナ部１１１は、情報源アドレステーブル２１１ａを所定周波数の電波として商品情報取得装置１２０に送信する（ステップＳ８０３）。
【００７４】
取得装置アンテナ部１２１は、情報源アドレステーブル２１１ａを含む所定周波数の電波を受信する。取得装置送受信部１２２は、取得装置アンテナ部１２１により受信した所定周波数の電波を復調し、情報源アドレスデータテーブル２１１ａを再現し、再現した情報源アドレステーブル２１１ａを取得装置制御部１２３に送信する。取得装置制御部１２３は、情報源アドレステーブル２１１ａに基づいてＩＣタグ２１０が付されている商品１００の商品情報の一覧と識別コードとを表示装置に表示する（ステップＳ８０４）。例えば、商品情報取得装置１２０が読み出しコマンドを含む所定周波数の電波をビデオに付されているＩＣタグ２１０に送信した場合、取得装置制御部１２３は、ＩＣタグ２１０が付されているビデオに関する情報源アドレステーブル２１１ａを受信し、受信した情報源アドレステーブル２１１ａに基づいて「９８７６５４３２１」という内容の識別コードと、「生産」「販売」「サービス」「リサイクル」という内容の商品情報の一覧とを表示装置に表示する。
【００７５】
取得装置制御部１２３は、商品情報取得装置１２０のユーザの操作装置による選択に従って商品情報の一覧から商品情報を選択する（ステップＳ８０５）。
取得装置制御部１２３は、選択した商品情報に含まれる商品情報の一覧を情報源アドレステーブル２１１ａに基づいて表示装置に表示する（ステップＳ８０６）。例えば、商品情報の一覧として「生産」「販売」「サービス」「リサイクル」という内容を表示装置に表示しているときに、「生産」という商品情報が選択された場合、取得装置制御部１２３は、「基本情報」「部材」「作り方」「品質」「修理」という内容の商品情報に含まれる商品情報の一覧を表示装置に表示する（図８参照）。
【００７６】
取得装置制御部１２３は、商品情報取得装置１２０のユーザの操作装置による選択に従って商品情報に含まれる商品情報の一覧から商品情報を選択する（ステップＳ８０７）。
【００７７】
取得装置制御部１２３は、選択した商品情報にセキュリティーがかかっているかを判断する（ステップＳ８０８）。例えば、商品情報の一覧として「基本情報」「部材」「作り方」「品質」「修理」という内容を表示装置に表示しているときに、「基本情報」という商品情報が選択された場合は、セキュリティーがかかっていると判断し、「部材」という商品情報が選択された場合は、セキュリティーがかかっていないと判断する（図８参照）。
【００７８】
取得装置制御部１２３は、選択した商品情報にセキュリティーがかかっていると判断した場合、パスワード入力画面を表示装置に表示し、操作装置により入力されたパスワードが正しいと判断した場合、商品情報を受信するための動作をおこない、正しくないと判断した場合、再度商品情報の一覧を表示装置に表示する（ステップＳ８０９）。
【００７９】
取得装置制御部１２３は、選択した商品情報にセキュリティーがかかっていない場合や、操作装置により入力されたパスワードが正しいと判断した場合、選択した商品情報を受信するように指示する商品情報受信信号を作成する（ステップＳ８１０）。例えば、商品情報の一覧として「基本情報」「部材」「作り方」「品質」「修理」という内容を表示装置に表示しているときに、操作装置によって「品質」という商品情報が選択された場合、取得装置制御部１２３は、「ｈｔｔｐ：／／ｗｗｗ．ｓａｂａ．ｊｐ／９８７６５４３２１／ｓｅｉｓａｎ／ｈｉｎｓｉｔｕ／」という内容の商品情報受信信号を作成する（図８参照）。
【００８０】
取得装置制御部１２３は、作成した商品情報受信信号を商品情報受信部１２４に送信する。商品情報受信部１２４は、商品情報受信信号に基づいてサーバＡ１４０、サーバＢ１５０にアクセスし、アクセスしたサーバＡ１４０、サーバＢ１５０から商品情報を受信する  （ステップＳ８１１）。
【００８１】
商品情報受信部１２４は、受信した商品情報を取得装置制御部１２３に送信する。取得装置制御部１２３は、受信した商品情報の内容を表示装置に表示する（ステップＳ８１２）。
【００８２】
ここで、表示装置に表示される内容を図１０に示す。
図１０（ａ）は、商品情報取得装置１２０がビデオに付されたＩＣタグ２１０から情報源アドレステーブル２１１ａを受信した場合に、表示装置に表示される内容を示したものである。表示内容は、識別コードと、商品情報の一覧とから構成され、この場合、「このビデオの識別コードは「９８７６５４３２１」であり、このビデオに関して「生産」と「販売」と「サービス」と「リサイクル」という商品情報が登録されている。」といった内容が表示装置に表示される（図８参照）。
【００８３】
図１０（ｂ）は、  図１０（ａ）において商品情報取得装置１２０のユーザが操作装置により「生産」という商品情報を選択した場合に、表示装置に表示される内容を示したものである。表示内容は、識別コードと、選択された商品情報と、選択された商品情報に含まれる商品情報の一覧とから構成され、この場合、「このビデオの識別コードは「９８７６５４３２１」であり、このビデオに関してユーザにより「生産」という商品情報が選択され、この「生産」という商品情報には「基本情報」と「部材」と「作り方」と「品質」と「修理」という商品情報が含まれている。」といった内容が表示装置に表示される（図８参照）。
【００８４】
図１０（ｃ）は、図１０（ｂ）において商品情報取得装置１２０のユーザが操作装置により「品質」という商品情報を選択した場合に、表示装置に表示される内容を示したものである。表示内容は、識別コードと、選択された商品情報と、選択された商品情報に含まれる商品情報の一覧から選択された商品情報と、その商品情報の内容とから構成され、この場合、「このビデオの識別コードは「９８７６５４３２１」であり、このビデオに関してユーザにより「生産」という商品情報が選択され、更に、この「生産」という商品情報に含まれている商品情報から「品質」という商品情報が選択され、その「品質」という商品情報には「検査方法、データ、品質情報」という内容が含まれている。」といった内容が表示装置に表示される。
【００８５】
次に、本発明の本実施の形態における商品情報提供システムの動作（本システムのデータ書き込み処理の流れ）について、図１１に示されたシーケンスに沿って順に説明する。
【００８６】
同図の処理も、ユーザ操作に従って開始及び終了する。開始の操作を受けて取得装置制御部１２３は、パスワード入力画面を表示装置に表示する。商品情報取得装置１２０のユーザは、操作装置によりパスワードを入力する（ステップＳ１００１）。
【００８７】
取得装置制御部１２３は、入力されたパスワードが正しいと判断した場合、新たな情報源アドレスデータの作成のための動作をおこない、入力されたパスワードが正しくないと判断した場合、再度パスワード入力画面を表示装置に表示する（ステップＳ１００２）。
【００８８】
取得装置制御部１２３は、商品情報登録部１２３ａにより新たな情報源アドレスデータを作成する（ステップＳ１００３）。例えば、ビデオに付されたＩＣタグ２１０に「９８７６５４３２１」という識別コードを付与し、更に「生産」という商品情報に含まれる「修理」という新たな商品情報を登録し、その商品情報は「ｈｔｔｐ：／／ｗｗｗ．ｓａｂａ．ｊｐ／９８７６５４３２１／ｓｅｉｓａｎｎ／ｓｈｕｕｒｉ／」というアドレス（ＵＲＬ）に記憶され、セキュリティーをかける必要のある情報の場合、取得装置制御部１２３は、情報源アドレスデータの「識別コード」の欄を「９８７６５４３２１」とし、「情報ＩＤ（第１階層）」の欄を「６（販売）」とし、「情報ＩＤ（第２階層）」の欄を「６Ｅ（修理）」とし、「アドレス（ＵＲＬ）」の欄を「ｈｔｔｐ：／／ｗｗｗ．ｓａｂａ．ｊｐ／９８７６５４３２１／ｓｅｉｓａｎｎ／ｓｈｕｕｒｉ／」とし、「セキュリティー」の欄を「○」とし、新たな情報源アドレスデータを作成する。
【００８９】
取得装置制御部１２３は、新たに作成した情報源アドレスデータと、書き込みコマンドとを取得装置送受信部１２２に送信する。取得装置送受信部１２２は、取得装置制御部１２３から受信した情報源アドレスデータと、書き込みコマンドとを所定周波数の信号に変調し、取得装置アンテナ部１２１に送信する。取得装置アンテナ部１２１は、情報源アドレスデータと、書き込みコマンドとを含む所定周波数の電波をＩＣタグ２１０に向けて所定時間送信し続ける（ステップＳ１００４）。ここで、所定時間とは、ＩＣタグ２１０が情報源アドレスデータを新たに情報源アドレステーブル２１１ａに追加するのに十分な時間をいう。
【００９０】
タグアンテナ部１１１は、情報源アドレスデータと、書き込みコマンドとを含む所定周波数の電波を受信し、交流電力を生成し、その交流電力を電源部１１３に供給する。電源部１１３は、交流電力から直流電力を生成し、タグ制御部１１５と、タグ送受信部１１２とに供給する。タグ送受信部１１２は、タグアンテナ部１１１により受信した所定周波数の電波を復調し、情報源アドレスデータと、書き込みコマンドとを再現し、再現した情報源アドレスデータと、書き込みコマンドとをタグ制御部１１５に送信する。タグ制御部１１５は、タグ送受信部１１２から受信した書き込みコマンドに従って、タグ送受信部１１２から受信した情報源アドレスデータをタグ記憶部２１１に記憶されている情報源アドレステーブル２１１ａに追加する（ステップＳ１００５）。
【００９１】
以上のように本実施の形態によれば、情報源アドレステーブル２１１ａには、商品情報に含まれる商品情報の記憶場所のアドレス（ＵＲＬ）が登録されていることから、商品情報取得装置１２０は、商品情報に含まれる商品情報の一覧を取得するためだけにサーバにアクセスする必要が無く、本商品情報提供システムでは、商品取得装置１２０の負担を軽減することができる。
【００９２】
また、情報源アドレステーブル２１１ａには、識別コードが登録されていることから、商品情報取得装置１２０が商品情報と識別コードとを表示する場合、商品情報取得装置１２０は、情報源アドレステーブル１１４ａと、識別コード１１４ｂとを別々に受信する必要が無く、本商品情報提供システムでは、商品情報取得装置１２０の負担を軽減することができる。
【００９３】
なお、本実施の形態において、ＩＣタグ２１０に記憶されている情報源アドレステーブル２１１ａには、商品情報の記憶場所のアドレス（ＵＲＬ）が登録されているとした。しかし、情報源アドレステーブル２１１ａに商品情報の記憶場所のアドレス（ＵＲＬ）を登録せず、商品情報取得装置１２０が商品情報の情報ＩＤとその商品情報の記憶場所のアドレス（ＵＲＬ）との対応テーブルを記憶することで、商品情報取得装置１２０は、ＩＣタグ２１０から情報ＩＤを受信し、その情報ＩＤと対応テーブルに基づいて商品情報を表示してもよい。
【００９４】
また、本実施の形態において、情報源アドレステーブル２１１ａには、商品情報に含まれる商品情報が登録されているとし、商品情報は２階層構造のデータであるとした。しかし、商品情報は更に多層構造のデータであり、情報源アドレステーブル２１１ａには、その多層構造のデータが登録されていてもよい。
【００９５】
また、ＩＣタグ１１０、２１０の替わりにバーコードや２次元コードを含むコードを印刷したラベルを用いても良い。この場合は図２、図７に示した商品情報取得装置１２０を構成する取得装置アンテナ部１２１の替わりに、バーコードや２次元コードを読み取るイメージセンサ等から構成した画像読み取り部と、この出力信号をデジタル化して解読する解読処理部とを設けることで可能である。
【００９６】
また、ＩＣタグとの無線通信には、各種の周波数例えば、１２５ＫＨＺ、１３．５６ＭＨＺ、８００〜９００ＭＨＺ、２．４５ＧＨＺ等が可能であり、これを制限するものではない。
【００９７】
また、タグ記憶部１１４、２１１を構成するメモリとしてはＥＥＰＲＯＭ、ＦＥＲＡＭ、ＭＲＡＭ等の不揮発性メモリが通常使用される。
【００９８】
【発明の効果】
以上の説明から明らかなように、本発明に係るラベルによれば、商品に付されたラベルは、商品に関する情報の記憶場所を記憶することとなり、商品に関する情報をそのまま記憶する必要がないので、商品に関する情報を効率的にラベルに記憶させ且つ更新された最新データにアクセスできることが可能になるという効果が奏される。また、ラベルは非接触ＩＣタグを備えているので、ラベルは、大きなデータ容量を持つこととなり、多くの情報の記憶が可能になるという効果が奏される。さらに、本発明に係る商品情報取得装置によれば、商品情報取得装置は、本発明に関わるラベルに記憶された商品に関する情報の閲覧手段をユーザに提供することとなり、商品に関する情報の内容の閲覧に際してユーザに煩わしい操作を要求しないという効果が奏される。そして、本発明に係る商品コード編集装置によれば、商品コード編集装置は、本発明に関わるラベルに新たに商品に関する情報を登録する手段をユーザに提供することとなり、ユーザは商品の流通と使用の各段階で得られた商品に関する情報を登録することができるという効果が奏される。
【００９９】
よって、本発明により、商品の生産、販売、使用／サービス、リサイクル過程において、効率的に情報を記憶できるラベルの提供と、その情報の内容の閲覧に際してユーザに煩わしい操作を要求しない商品情報取得装置とを提供することが可能となり、日常生活において必要な情報が氾濫してきた今日における実用的価値は極めて高い。
【図面の簡単な説明】
【図１】本発明の第１の実施の形態における情報提供システムの使用状況を示すシステム構成図である。
【図２】同システムの構成を示すブロック図である。
【図３】（ａ）は、同システムにおける情報源アドレステーブル１１４ａの内容を示すテーブル図である。
（ｂ）は、同システムにおける識別コード１１４ｂの内容を示すテーブル図である。
【図４】（ａ）は、同システムにおいて取得装置制御部１２３が取得装置送受信部１２２から情報源アドレスデータ１１４ａと識別コード１１４ｂとを受信したときに表示される内容を示す図である。
（ｂ）は、同システムにおいて商品情報の一覧から商品情報を選択したときに表示される内容を示す図である。
【図５】同システムにおける情報読み出しの動作を示すシーケンス図である。
【図６】同システムにおける情報書き込みの動作を示すシーケンス図である。
【図７】本発明の第２の実施の形態における情報提供システムの構成を示すブロック図である。
【図８】同システムにおける情報源アドレステーブル２１１ａの内容を示すテーブル図である。
【図９】同システムにおける情報読み出しの動作を示すシーケンス図である。
【図１０】（ａ）は、同システムにおいて商品情報取得装置１２０がＩＣタグ２１０から情報源アドレスデータ２１１ａを受信したときに表示される内容を示す図である。
（ｂ）は、同システムにおいて商品情報の一覧から商品情報を選択したときに表示される内容を示す図である。
（ｃ）は、同システムにおいて選択した商品情報に含まれる商品情報の一覧から商品情報を選択したときに表示される内容を示す図である。
【図１１】同システムにおける情報書き込みの動作を示すシーケンス図である。
【符号の説明】
１００    商品
１１０    ＩＣタグ
１１１    タグアンテナ部
１１２    タグ送受信部
１１３    電源部
１１４    タグ記憶部
１１４ａ    情報源アドレステーブル
１１４ｂ    識別コード
１１５    タグ制御部
１２０    商品情報取得装置
１２１    取得装置アンテナ部
１２２    取得装置送受信部
１２３    取得装置制御部
１２３ａ    商品情報登録部
１２４    商品情報受信部
１３０    ネットワーク
１４０    サーバＡ
１５０    サーバＢ
１６０    サーバ
２１０    ＩＣタグ
２１１    タグ記憶部
２１１ａ    情報源アドレステーブル
【図１】
2004212788.tif 000003
【図２】
2004212788.tif 000004
【図３】
2004212788.tif 000005
【図４】
2004212788.tif 000006
【図５】
2004212788.tif 000007
【図６】
2004212788.tif 000008
【図７】
2004212788.tif 000009
【図８】
2004212788.tif 000010
【図９】
2004212788.tif 000011
【図１０】
2004212788.tif 000012
【図１１】
2004212788.tif 000013